(57)【特許請求の範囲】
【請求項１】
内容液を内蔵する軸筒と、該軸筒の先端側に配された筒状のホルダーと、該ホルダーに内包され、該ホルダーの先端側開口部からテーパー状の先端が露出して配されている筆穂と、該ホルダーの先端側開口部から露出して配され、該筆穂の先端部が露出した状態で該筆穂を被覆している筆穂カバーとを備える毛筆状塗布具であって、
該筆穂カバーは、筆穂カバー先端部から該筆穂の先端を露出し、該筆穂カバー先端部の開口縁の一部が筆穂先端方向へ延出しており、該筆穂カバーの材料は、軟質材である毛筆状塗布具。
【請求項２】
前記筆穂カバーの開口縁が筆穂の長軸方向と直交する面に対して傾斜している請求項１に記載の毛筆状塗布具。
【請求項３】
前記筆穂カバー先端部の開口縁の一部が、筆穂の外形に沿って筆穂先端方向へ延出している請求項１又は２に記載の毛筆状塗布具。
【請求項４】
前記ホルダーの先端側開口部の横断面外形が楕円形であり、前記筆穂カバーから露出する筆穂の基部における横断面外形が楕円の平筆となっている請求項１〜３のいずれか１項に記載の毛筆状塗布具。
【請求項５】
前記筆穂カバーが前記ホルダーの内側で係合されている請求項１〜４のいずれか１項に記載の毛筆状塗布具。
【請求項６】
前記筆穂カバーが前記ホルダーの外側で係合されている請求項１〜４のいずれか１項に記載の毛筆状塗布具。
【請求項７】
前記筆穂カバーが前記ホルダーに着脱自在に具備されている請求項１〜６のいずれか１項に記載の毛筆状塗布具。
【請求項８】
前記筆穂カバーと前記ホルダーが一体である請求項１〜４のいずれか１項に記載の毛筆状塗布具。
【請求項９】
前記筆穂カバーの延出量が大きい開口縁部側の先端開口縁は、凸状の湾曲形状を有する請求項１〜８のいずれか１項に記載の毛筆状塗布具。
【請求項１０】
前記筆穂カバーの傾斜が曲線により形成される請求項２〜９のいずれか１項に記載の毛筆状塗布具。
【発明の詳細な説明】
【技術分野】
【０００１】
本発明は、内容液を内蔵した毛筆状塗布具に関する。
【背景技術】
【０００２】
化粧料、筆記具用インキ及び修正液等の内容液を内蔵した塗布具の塗布先として、毛筆状の筆穂を採用した毛筆状塗布具が用いられている。毛筆状の筆穂を用いて細い線を描く際には、極細の筆穂が用いられことがある。従来の毛筆状塗布具で細い線を描くためには、筆穂先の先端部のみを瞼等の被塗布体に当てるため、筆圧を低く保つ必要がある。筆圧が高くなってしまった場合には、筆穂が潰れてしまい、描いた線が太くなってしまう。筆圧を低く保てたとしても、筆圧が低いことによって、筆穂先が被塗布体において滑りやすく、描いた線が歪んでしまうことがある。また、極細の筆穂は腰が弱いため、塗布中に筆穂が腰折れし、描いた線が歪んでしまうことがある。つまり、従来の毛筆状塗布具で極細の筆穂を用いて細く歪みの無い線を描くことは困難であった。また、従来の毛筆状塗布具で極細の筆穂を用いた場合、必要に応じて太い線を描くことは困難であった。
【０００３】
これらの問題に対し、筆穂の腰の弱さの改善を試みた毛筆状塗布具として、可撓性筒体よりなる筆穂カバーをホルダーと筆穂との間に介在配置したものや、筒状のノーズピースとブラシとの間に貫通孔を有する筒状の含浸体を介在させたものが提案されている（例えば、特許文献１及び２参照）。
また、容器内の充填領域に充填した化粧料を、軟質材で形成されたペン先部から吐出する化粧料塗布具であって、ペン先部は、横断面外形が扁平状で且つ短軸方向に沿う側方視において刃状に形成され、その刃状の先端面が塗布面であり、筆穂を用いてない化粧料塗布具が提案されている（例えば、特許文献３参照）。
【先行技術文献】
【特許文献】
【０００４】
【特許文献１】実開昭６３−１９７６８２号公報
【特許文献２】特開２０１０−２１３８６９号公報
【特許文献３】特開２０１４−４６１５４号公報
【発明の概要】
【発明が解決しようとする課題】
【０００５】
しかしながら、特許文献１又は特許文献２によって提案された毛筆状塗布具にあっては、筆穂先部のみを残して筆穂カバーを筆穂の先端が露出するよう介在配置させているため、筆穂の軸を被塗布体に対して傾斜させて塗布した場合、筆穂カバーが被塗布体に接触し、塗布中に不快感を生じる虞がある。また、筆穂カバーの被塗布体への接触を防ぐために、筆穂の軸を被塗布体に対して垂直もしくはそれに近い傾斜で塗布した場合、筆穂先と被塗布体との接触面積が小さいために、筆穂が腰折れし、描いた線が歪む虞がある。また、筆穂はホルダーの先端の開口部からテーパー状に突出しているため、通常必要に応じて太い線を描く際には、筆穂の軸を被塗布体に対して傾斜させ、筆穂の根元を被塗布体に当てて書くが、特許文献１に記載された毛筆状塗布具にあっては、前述のように筆穂の軸を被塗布体に対して傾斜させて塗布した場合、筆穂カバーが被塗布体に接触し、塗布中に不快感を生じる虞があるため、必要に応じて太い線を描くことが困難である。また特許文献２に記載された毛筆状塗布具にあっては、筆穂の根元における横断面積が小さいため、根元を被塗布体に当てても描いた線が細く、太い線を描くことは困難である。
また、特許文献３のような従来の塗布具では、筆穂を持たないため、太い線及び細い線の両方を書くことは困難である。
【０００６】
本発明は、上記問題に鑑みて工夫されたもので、内容液を内蔵した毛筆状塗布具において、筆穂先に腰を付与し、被塗布体に対して不快感を生じずに、細い線を描く際の歪みを抑制することができ、必要に応じて細い線及び太い線が容易に描ける毛筆状塗布具を提供することを課題とする。
【課題を解決するための手段】
【０００７】
本発明は、内容液を内蔵する軸筒と、該軸筒の先端側に配された筒状のホルダーと、該ホルダーに内包され、該ホルダーの先端側開口部からテーパー状の先端が露出して配されている筆穂と、該ホルダーの先端側開口部から露出するように配され、該筆穂の先端部が露出した状態で該筆穂を被覆する筆穂カバーとを備える毛筆状塗布具であって、該筆穂カバーは、筆穂カバー先端部から該筆穂の先端を露出し、該筆穂カバー先端部の開口縁の一部が筆穂先端方向へ延出している毛筆状塗布具である。
【発明の効果】
【０００８】
本発明により、内容液を内蔵した毛筆状塗布具において、筆穂先に腰を付与し、被塗布体に対して不快感を生じずに、細い線を描く際の歪みを抑制することができ、必要に応じて細い線及び太い線を容易に描くことができる。
【図面の簡単な説明】
【０００９】
【図１】図１（ａ）は実施形態に係る毛筆状塗布具の模式的外観図であり、図１（ｂ）は図１（ａ）のＡ−Ａ’線に沿っての断面図である。
【図２】図２（ａ）は実施形態に係る毛筆状塗布具の先端部の側面図であり、図２（ｂ）は（ａ）のＰ方向から見た正面図であり、図２（ｃ）は（ａ）のＰ方向の逆から見た逆正面図である。
【図３】図３（ａ）は図２（ｂ）のＢ−Ｂ’線に沿っての断面図であり、図３（ｂ）は図２（ａ）のＣ−Ｃ’線に沿っての断面図である。
【図４】図４（ａ）は実施形態に係る毛筆状塗布具の先端部の平面図（その１）を示し、図４（ｂ）は実施形態に係る毛筆状塗布具の先端部の平面図（その２）である。
【図５】実施形態に係る毛筆状塗布具の先端部のその他の形状（その１）を示す側面図である。
【図６】実施形態に係る毛筆状塗布具の先端部のその他の形状（その２）を示す側面図であり、図６（ａ）は側面図、図６（ｂ）は正面図、図６（ｃ）は図６（ｂ）のＤ−Ｄ’線に沿っての断面図である。
【図７】実施形態に係る毛筆状塗布具の先端部のその他の形状（その３）を示す側面図である。
【発明を実施するための形態】
【００１０】
本発明の実施の形態に係る毛筆状塗布具１は、図１（ａ）及び（ｂ）に示すように、内容液を内蔵する軸筒２と、軸筒２の先端側に配された筒状のホルダー３と、ホルダー３に内包され、ホルダーの先端側開口部からテーパー状の先端が露出して配されている筆穂４と、ホルダー３の先端側開口部から露出するように配され、筆穂４の先端部が露出した状態で筆穂４を被覆する筆穂カバー５とを備える。
【００１１】
軸筒２は、先端部２ａ及び後端部２ｄが開口した筒状に形成されている。軸筒２の内側には、図１（ｂ）に示すように、内容液収納部６が設けられている。内容液収納部６には内容液カートリッジ及び内容液を含浸した中綿等の手段によって内容液７が収納される。
軸筒２の先端部２ａ側には、周方向に沿って段部２ｂが形成されており、段部２ｂには縮径部２ｃが延設されている。
軸筒２の後端部２ｄには、軸筒２の後端側を封止するための尾栓８が嵌着される。
【００１２】
軸筒２は、外周に絵柄及び凹凸によってデザインを付与し、意匠性を高めることができる。軸筒２に付与されたデザインによって、筆穂カバー５の筆穂先端方向への延出量の小さい開口縁部５ａ１側と、筆穂カバー５の筆穂先端方向への延出量の大きい開口縁部５ａ２側とを認識できるようにすることが好ましい。
【００１３】
ホルダー３は、図２（ａ）及び（ｂ）に示すように、筒状に形成され、ホルダー３の先端側には先端側開口部３ａに向けて細くなるように傾斜するテーパー部３ｂがある。テーパー部３ｂの後部には、周方向に沿って段部３ｃが形成されている。段部３ｃは、軸筒２の先端部２ａに当接する。
ホルダー３の段部３ｃより後端側である後部３ｄには、周方向に沿って外側に凸のリブ３ｅが形成されている。ホルダー３の後部３ｄは、外形寸法が軸筒２の縮径部２ｃの内径寸法よりも僅かに小さめ、又は略同じ寸法に形成されており、後部３ｄ及びリブ３ｅが軸筒２の縮径部２ｃの内側に嵌着される。
【００１４】
ホルダー３の材料は、特に限定されるものでなく、例えば、アクリロニトリルスチレン（ＡＳ）、アクリロニトリルブタジエンスチレン（ＡＢＳ）、ポリエチレンテレフタレート（ＰＥＴ）、ポリブチレンテレフタレート（ＰＢＴ）、ポリエチレンナフタレート（ＰＥＮ）、ポリシクロへキシレンジメチレンテレフタレート（ＰＣＴ）、ポリシクロヘキサンジメチレンテレフタレート（ＰＣＴＡ）、ポリカーボネート（ＰＣ）、ポリスチレン（ＰＳ）、ポリプロピレン（ＰＰ）、ポリエチレン（ＰＥ）等の合成樹脂、天然ゴム、合成ゴム等のエラストマー、及び金、銀、銅、アルミ、鉄等の金属等を挙げることができる。ホルダー３の材料としては、１種を単独で用いてもよいし、２種以上を混合して用いてもよい。
【００１５】
筆穂４は、図２（ｂ）に示すように、先端側が細くなるように傾斜するテーパー状である先細りの筆穂先４ａが形成されている。筆穂４は、図１（ｂ）に示すように、中心部に中継芯９の一端である片端９ａが挿入され、他端の片端９ｂが内容液収納部６に挿入されており、内容液が内容液収納部６から筆穂４に供給される。
【００１６】
筆穂４の材料は、特に限定されるものでなく、獣毛及び合成繊維等が用いられる。獣毛としては、例えば、馬、鼬、狸等の剛毛、及び羊、猫、栗鼠等の柔毛が用途に応じて用いられる。合成繊維としては、例えば、ＰＥＴ、ＰＢＴ等のポリエステル繊維、及び６，６-ナイロン、６−ナイロン等のポリアミド繊維等が用いられる。
【００１７】
筆穂カバー５は、図２（ａ）及び図３（ａ）に示すように、筆穂４の長軸方向Ｘと直交する面Ｓ１に対し筆穂カバーの開口縁５ａの一部が筆穂の外形に沿って筆穂先端方向に延出されている。筆穂カバー５の筆穂先端方向への延出量の小さい開口縁部５ａ１側から露出する筆穂４ｃは、延出量の大きい開口縁部５ａ２側から露出する筆穂４ｄに比べて露出長が大きい。
筆穂カバー５の延出量の小さい開口縁部５ａ１側を被塗布体に対して向けて塗布する場合、延出量の大きい開口縁部５ａ２側まで延出した筆穂カバー５が筆穂４に腰を付与して安定して滑らかな線を書くことができ、かつ開口縁部５ａ２側は被塗布体に接触せずに線を描くことができる。また、筆穂カバー５の延出量の小さい開口縁部５ａ１側を被塗布体に向けて塗布する場合、被塗布体に対して筆穂４を大きく傾けることによって、図２（ｂ）に示す、開口部５ａ１側から露出した筆穂４の根元４ｂを使用して、必要に応じて太い線も描くことができる。
一方、筆穂カバー５の延出量の大きい開口縁部５ａ２側を被塗布体に対して向けて塗布する場合、開口縁部５ａ２側から露出する筆穂４ｄは短いので、細い線を容易に書くことができる。また、筆穂カバー５の延出量の大きい開口縁部５ａ２側を被塗布体に対して向けて塗布する場合であって、筆穂カバー５が軟質材であるときは、筆穂カバー５が瞼にあたった際の、不快感を抑制することができる。
【００１８】
筆穂カバー５の延出量の大きい開口縁部５ａ２側の先端開口縁は、図２（ｃ）に示すように筆穂先端側に凸状の湾曲形状であり、筆穂４に適度に腰を付与することができ、且つ筆穂カバー５が瞼にあたった際の、不快感を抑制することができる。
【００１９】
筆穂カバー５は、図２（ａ）に示すように、筆穂４の長軸方向Ｘと直交する面Ｓ１に対し筆穂カバー５の開口縁５ａが傾斜している。筆穂カバー５の開口縁５ａの傾斜角度θは筆穂４の長軸方向Ｘと直交する面Ｓ１に対し、好ましくは１０°以上、より好ましくは２０°以上、さらに好ましくは３０°以上であり、そして、好ましくは８０°以下、より好ましくは７０°以下、さらに好ましくは６０°以下である。
【００２０】
筆穂カバー５は、図３（ａ）に示すように、外周部がホルダー３の内側に沿ったテーパー状をしており、ホルダー３の内側に配されている。筆穂カバー５の後端側には、周方向に沿って外側に凸のリブ５ｂが形成されていることが好ましい。リブ５ｂは、ホルダー３の後端部３ｄの開口部３ｆに係合される。リブ５ｂが開口部３ｆと係合することにより、筆記中に筆穂カバー５が外れることなく、筆穂カバー５がホルダー３に係合される。
【００２１】
筆穂カバー５の筆穂先端方向への延出量の小さい開口縁部５ａ１側から露出する筆穂４ｃの長さは、好ましくは３ｍｍ以上、より好ましくは４ｍｍ以上、さらに好ましくは５ｍｍ以上であり、そして、好ましくは２０ｍｍ以下、より好ましくは１２ｍｍ以下、さらに好ましくは１０ｍｍ以下である。
筆穂カバー５の筆穂先端方向への延出量の大きい開口縁部５ａ２側から露出する筆穂４ｄの長さは、好ましくは１ｍｍ以上、より好ましくは１．５ｍｍ以上、さらに好ましくは２ｍｍ以上であり、そして、好ましくは７ｍｍ以下、より好ましくは６ｍｍ以下、さらに好ましくは５ｍｍ以下である。
【００２２】
筆穂カバー５の材料は、特に限定されるものでなく、ホルダー３と同じ材料を用いることができる。筆穂カバー５の材料は、ホルダー３と同じ材料とすることができ、異なる材料であってもよい。筆穂カバー５の材料としては、エラストマー等の軟質材を用いることが好ましい。筆穂カバー５に軟質材を用いることで、筆穂４に与える腰の強さが、筆穂カバー５の形状だけでなく、筆穂カバー５の硬度によっても調整することができる。また、筆穂カバー５に軟質材を用いることで、被塗布体、特に瞼等の軟らかい皮膚に触れた際の、不快感を抑制することができる。
【００２３】
毛筆状塗布具１の先端部は、種々の形状を取り得る。毛筆状塗布具１の先端部の形状は、例えば、図４（ａ）に示すように、ホルダー３及び筆穂カバー５の横断面外形を円形とすることができる。また、毛筆状塗布具１の先端部の形状は、例えば、図４（ｂ）に示すように、ホルダー３及び筆穂カバー５の横断面外形を楕円形とすることもできる。
図４（ｂ）に示す毛筆状塗布具１は、ホルダー３の先端側開口部３ａの横断面外形が楕円形であり、ホルダー３の先端側開口部３ａの長軸方向Ｙと、筆穂カバー５の延出量の小さい開口縁部５ａ１と延出量の大きい開口縁部５ａ２を結んだ線が一致しており、筆穂カバー５から露出する筆穂４の基部における横断面外形が楕円の平筆となっている。このように筆穂４の横断面外形が楕円の平筆となっている場合、楕円の長軸方向に対して筆穂４の腰を保ちつつ、楕円の短軸方向に対して筆穂の幅が細くなるため、さらに細い線が描きやすくなる。
【００２４】
毛筆状塗布具１の先端部のその他の形状としては、例えば、図５に示すように、筆穂カバー５の開口縁５ａの傾斜が曲線により形成することができる。筆穂カバー５の開口縁５ａの傾斜が曲線であることによって、瞼へのフィット感が得やすい効果がある。
この時、筆穂カバー５は、図５に示すように、筆穂４の長軸方向Ｘと直交する面Ｓ１に対し、筆穂カバー５の延出量の小さい開口縁部５ａ１と延出量の大きい開口縁部５ａ２とを結ぶ直線Ｌが傾斜しており、その傾斜角度θは筆穂４の長軸方向Ｘと直交する面Ｓ１に対し、好ましくは１０°以上、より好ましくは２０°以上、さらに好ましくは３０°以上であり、そして、好ましくは８０°以下、より好ましくは７０°以下、さらに好ましくは６０°以下である。
なお、筆穂カバー５の開口縁５ａの曲線は、図５に示すものに限られず、例えば、図５に示す曲線と逆に凸の曲線であってもよい。
【００２５】
毛筆状塗布具１の先端部のその他の形状としては、例えば、図６（ａ）〜（ｃ）に示すような筆穂カバー５の形態とすることができる。図６（ａ）は側面図、図６（ｂ）は正面図、図６（ｃ）は図６（ｂ）のＤ−Ｄ’線に沿っての断面図である。
筆穂カバー５の後端部には、図６（ｃ）に示すように、周方向に沿って内側に凸のリブ５ｃが形成されている。また、ホルダー３のテーパー部３ｂの外周には、リブ５ｃと合致する窪み３ｇが形成されている。筆穂カバー５のリブ５ｃがホルダー３の窪み３ｇと係合することにより、筆記中に筆穂カバー５が外れることなく、筆穂カバー５がホルダー３に係合される。
図６に示すように、筆穂カバー５をホルダー３に係合することで、ホルダー３の内径は筆穂４の外形に沿う寸法として形成されるため、ホルダー３の外径及び軸筒２の外径を小さくすることが可能となり、持ち運び等に好適である。
【００２６】
毛筆状塗布具１の先端部のその他の形状としては、例えば、図７（ａ）及び（ｂ）に示すような筆穂カバー５の形態とすることができる。
図７（ａ）及び（ｂ）に示す筆穂カバー５は、３つの筆穂カバー先端部の開口縁が、筆穂先端方向へ延出しており、筆穂カバー５の延出量の大きい開口縁部の対角線上には、筆穂カバー５の延出量の小さい開口縁部を備えている。３つの筆穂カバー先端部の開口縁が延出している長さは、それぞれ同じでも、異なっていてもよい。３つの筆穂カバー先端部の開口縁が延出していることによって、筆穂４で書く線の幅を選択することが可能となる。
【００２７】
（その他の実施の形態）
例えば、実施の形態において、筆穂カバー５は、ホルダー３と係合して固定した毛筆状塗布具を記載したが、筆穂カバー５は、着脱自在に具備されていてもよい。
また、実施の形態において、ホルダー３と筆穂カバー５とは別体として記載したが、ホルダー３と筆穂カバー５が一体であっても構わない。ホルダー３と筆穂カバー５が一体である場合は、一体成型によって形成することができる。ホルダー３と筆穂カバー５を一体成型によって形成する場合は、材料は合成樹脂を用いることが好ましい。
また、実施の形態において、筆穂カバー５は、２つ又は３つの筆穂カバー先端部の開口縁が延出しているものを記載したが、４つ以上のものであっても構わない。
【産業上の利用可能性】
【００２８】
本発明の毛筆状塗布具は、アイライナー等の化粧用毛筆状塗布具及び筆記具用毛筆状塗布具として好適に用いられる。
【符号の説明】
【００２９】
１…毛筆状塗布具
２…軸筒
３…ホルダー
４…筆穂
５…筆穂カバー
６…内容液収納部
７…内容液
８…尾栓
９…中継芯
【図１】
0006699025.tif 000002
【図２】
0006699025.tif 000003
【図３】
0006699025.tif 000004
【図４】
0006699025.tif 000005
【図５】
0006699025.tif 000006
【図６】
0006699025.tif 000007
【図７】
0006699025.tif 000008